(57)【要約】【課題】  ケーブルの湾曲対象箇所をケーブルの許容曲げ半径以内に湾曲させることができるケーブル湾曲治具を提供する。【解決手段】  ケーブル１０を許容曲げ半径より小さい曲げ半径とならないように湾曲させるためのケーブル湾曲治具１であって、前記ケーブル１０の許容曲げ半径に対応した曲率半径の円弧状に形成されるとともに、前記ケーブル１０の湾曲対象箇所１１を湾曲させる際に前記ケーブル１０の湾曲対象箇所１１の内径側に宛がわれて、該湾曲対象箇所１１が前記ケーブル１０の許容曲げ半径よりも小さく湾曲されるのを規制する支持部２を備えている。【選択図】  図４
2009171794.tif 000002
【特許請求の範囲】
【請求項１】
ケーブルを許容曲げ半径より小さい曲げ半径とならないように湾曲させるためのケーブル湾曲治具であって、
前記ケーブルの許容曲げ半径以上の曲げ半径に対応した曲率半径の円弧状に形成されるとともに、前記ケーブルの湾曲対象箇所を湾曲させる際に前記ケーブルの湾曲対象箇所の内径側に宛がわれて、該湾曲対象箇所が前記ケーブルの許容曲げ半径よりも小さく湾曲されるのを規制する支持部を備えていることを特徴とするケーブル湾曲治具。
【請求項２】
前記支持部には、前記支持部を前記ケーブルの湾曲対象箇所に固定するための固定部材が設けられていることを特徴とする請求項１に記載のケーブル湾曲治具。
【請求項３】
前記支持部の外径側には断面円弧状の溝が設けられ、該溝内に前記ケーブルの湾曲対象箇所の内径側の部分が嵌め込まれていることを特徴とする請求項１又は２に記載のケーブル湾曲治具。
【請求項４】
前記支持部には、前記溝の内外を貫通する切込みが長手方向に所定の間隔ごとに複数箇所に設けられ、該切込みを閉じるように前記支持部を湾曲させることにより、前記支持部が前記ケーブルの許容曲げ半径以上の曲げ半径に対応した曲率半径の円弧状に形成されていることを特徴とする請求項１から３の何れかに記載のケーブル湾曲治具。
【請求項５】
請求項１から４の何れかに記載のケーブル湾曲治具を用い、該ケーブル湾曲治具の支持部をケーブルの湾曲対象箇所の内径側に宛がい、該支持部の湾曲形状に沿って前記ケーブルの湾曲対象箇所を湾曲させることを特徴とするケーブル湾曲方法。
【請求項６】
請求項１から４の何れかに記載のケーブル湾曲治具を複数連結して構成し、該複数のケーブル湾曲治具の支持部を前記ケーブルの所要長さの湾曲対象箇所に宛がい、該支持部の湾曲形状に沿って前記湾曲対象箇所を湾曲させることを特徴とするケーブル湾曲方法。
【発明の詳細な説明】
【技術分野】
【０００１】
本発明は、ケーブル湾曲治具及びケーブル湾曲方法に関し、特に、通信ケーブル、配線ケーブル等のケーブルの湾曲対象箇所を許容曲げ半径以上の曲げ半径に湾曲させるのに有効なケーブル湾曲治具及びケーブル湾曲方法に関する。
【背景技術】
【０００２】
携帯基地局や各種の工場等に設置される設備に使用される通信ケーブルや配線ケーブル等のケーブルは、設備の運転に支障をきたさないようにするために、局舎や工場等の構造物の躯体の天井部等にケーブルラックを介して敷設されている。
【０００３】
ケーブルラックを介してケーブルを敷設する場合、ケーブルラックのコーナー部や設備への引き込み部等では、ケーブルを湾曲させてケーブルの敷設方向を変える必要があるが、ケーブルを許容曲げ半径よりも小さな曲げ半径に湾曲させないように注意する必要がある。
【０００４】
このため、メーカーからの技術資料等でケーブルの許容曲げ半径を確認しながらケーブルを湾曲させる必要があり、ケーブルを湾曲させる作業に非常に手間がかかってしまう。また、技術資料等で本来確認すべき箇所と異なった箇所を誤って確認してしまい、ケーブルを許容曲げ半径よりも小さな曲げ半径に湾曲させてしまうこともある。さらに、ケーブルの許容曲げ半径を意識して、必要以上にケーブルラックのコーナー部の曲げ半径を大きくして、ケーブルラックの設置に無駄なスペースをとってしまうこともある。さらに、ケーブルを湾曲させた後に、ケーブルの湾曲対象箇所が許容曲げ半径以上の曲げ半径で湾曲されているか否かの確認にも非常に手間がかかる。
【０００５】
ケーブルを湾曲させる技術の一例として、特許文献１には、ケーブルを支持する固定架台（ケーブルラック）の曲がり部分に、ケーブルの曲げ半径よりも大きい曲げ半径を有する曲がり板を設け、この曲がり板の内径側に所定の間隔をおいてケーブルの曲り部分を配置し、ケーブルの曲がり部分の動きを曲がり板までの距離に制限するように構成したケーブルの布設方法が記載されている。
【０００６】
また、他の例として、特許文献２には、同軸ケーブルを所定の曲げ半径及び曲げ角度で曲げ加工し、この曲げ加工した部分に金属固定具を取り付け、この金属固定具により同軸ケーブルの湾曲部を所定の曲げ半径及び曲げ角度に保持するように構成した方法が記載されている。
【０００７】
しかし、特許文献１及び特許文献２には、ケーブルの湾曲対象箇所をケーブルの許容曲げ半径よりも小さくならないように湾曲させる点については記載されていない。
【特許文献１】特開平５−１８４０４０号公報
【特許文献２】実開平７−１５３３号公報
【発明の開示】
【発明が解決しようとする課題】
【０００８】
本発明は、上記のような従来の問題に鑑みなされたものであって、ケーブルの湾曲対象箇所を容易に、かつ確実に許容曲げ半径よりも小さな曲げ半径とならないように湾曲させることができるとともに、ケーブルの湾曲対象箇所が許容曲げ半径以上の曲げ半径に湾曲されているか否かの確認を容易に行うことができるケーブル湾曲治具を提供することを目的とする。
【課題を解決するための手段】
【０００９】
上記のような課題を解決するために、本発明、以下のような手段を採用している。
すなわち、請求項１に係る発明は、ケーブルを許容曲げ半径より小さい曲げ半径とならないように湾曲させるためのケーブル湾曲治具であって、前記ケーブルの許容曲げ半径以上の曲げ半径に対応した曲率半径の円弧状に形成されるとともに、前記ケーブルの湾曲対象箇所を湾曲させる際に前記ケーブルの湾曲対象箇所の内径側に宛がわれて、該湾曲対象箇所が前記ケーブルの許容曲げ半径よりも小さく湾曲されるのを規制する支持部を備えていることを特徴とする。
【００１０】
本発明によるケーブル湾曲治具によれば、支持部をケーブルの湾曲対象箇所の内径側に宛がい、ケーブルの湾曲対象箇所を支持部の湾曲形状に沿って湾曲させることにより、ケーブルの湾曲対象箇所が支持部の湾曲形状に対応した形状に湾曲され、ケーブルの湾曲対象箇所がケーブルの許容曲げ半径よりも小さい曲げ半径で湾曲されるのが規制されることになる。
【００１１】
請求項２に係る発明は、請求項１に記載のケーブル湾曲治具であって、前記支持部には、前記支持部を前記ケーブルの湾曲対象箇所に固定するための固定部材が設けられていることを特徴とする。
【００１２】
本発明によるケーブル湾曲治具によれば、支持部は、ケーブルの湾曲対象箇所に固定部材によって固定されるので、ケーブルの湾曲対象箇所は、支持部の湾曲形状に対応した形状に湾曲された状態に保持されることになる。
【００１３】
請求項３に係る発明は、請求項１又は２に記載のケーブル湾曲治具であって、前記支持部の外径側には断面円弧状の溝が設けられ、該溝内に前記ケーブルの湾曲対象箇所の内径側の部分が嵌め込まれていることを特徴とする。
【００１４】
本発明によるケーブル湾曲治具によれば、ケーブルの湾曲対象箇所の内径側の部分は、支持部の外径側の溝内に嵌め込まれているので、ケーブルの湾曲対象箇所から支持部が外れるのを防止でき、ケーブルの湾曲対象箇所を支持部の湾曲形状に対応した形状に湾曲された状態に保持し続けることができる。
【００１５】
請求項４に係る発明は、請求項１から３の何れかに記載のケーブル湾曲治具であって、前記支持部には、前記溝の内外を貫通する切込みが長手方向に所定の間隔ごとに複数箇所に設けられ、該切込みを閉じるように前記支持部を湾曲させることにより、前記支持部が前記ケーブルの許容曲げ半径以上の曲げ半径に対応した曲率半径の円弧状に形成されていることを特徴とする。
【００１６】
本発明によるケーブル湾曲治具によれば、ケーブルの湾曲対象箇所に支持部を宛がい、この状態で支持部と一体にケーブルの湾曲対象箇所を湾曲させることにより、支持部の切込みが閉じられる角度まで支持部とケーブルの湾曲対象箇所とが一体に湾曲され、ケーブルの湾曲対象箇所が許容曲げ半径よりも小さな曲げ半径で湾曲されるのが阻止されることになる。
【００１７】
請求項５に係る発明は、請求項１から４の何れかに記載のケーブル湾曲治具を用い、該ケーブル湾曲治具の支持部をケーブルの湾曲対象箇所の内径側に宛がい、該支持部の湾曲形状に沿って前記ケーブルの湾曲対象箇所を湾曲させることを特徴とする。
【００１８】
本発明によるケーブル湾曲方法によれば、ケーブル湾曲治具の支持部をケーブルの湾曲対象箇所の内径側に宛がい、支持部の湾曲形状に沿ってケーブルの湾曲対象箇所を湾曲させることにより、ケーブルの湾曲対象箇所がケーブルの許容曲げ半径よりも小さい曲げ半径で湾曲されるのが阻止されることになる。
【００１９】
請求項６に係る発明は、請求項１から４の何れかに記載のケーブル湾曲治具を複数連結して構成し、該複数のケーブル湾曲治具の支持部を前記ケーブルの所要長さの湾曲対象箇所に宛がい、該支持部の湾曲形状に沿って前記湾曲対象箇所を湾曲させることを特徴とする。
【００２０】
本発明によるケーブル湾曲方法によれば、複数のケーブル湾曲治具を連結することにより、ケーブルの所要長さの湾曲対象箇所が許容曲げ半径よりも小さい曲げ半径で湾曲されるのが阻止されることになる。
【発明の効果】
【００２１】
以上、説明したように、本発明によれば、支持部をケーブルの湾曲対象箇所の内径側に宛がい、ケーブルの湾曲対象箇所を支持部の湾曲形状に沿って湾曲させることにより、ケーブルの湾曲対象箇所が支持部の湾曲形状に対応した形状に湾曲され、ケーブルの許容曲げ半径よりも小さい曲げ半径で湾曲されるのが規制されることになる。
従って、ケーブルの湾曲対象箇所がケーブルの許容曲げ半径よりも小さい曲げ半径で湾曲されて、ケーブルの性能が劣化するようなことはない。また、ケーブルの湾曲対象箇所がケーブルの許容曲げ半径よりも大きい曲げ半径で湾曲されているか否かは、ケーブルの湾曲対象箇所の内径側に宛がわれている支持部とケーブルの湾曲対象箇所との接触状態を目視により確認するだけでよいので、その確認作業を容易にかつ精度よく行うことができる。
【００２２】
また、支持部は、ケーブルの湾曲対象箇所に固定部材によって固定されるので、ケーブルの湾曲対象箇所が支持部の湾曲形状に対応した形状に湾曲された状態に保持することができ、長期的にケーブルの湾曲対象箇所をケーブルの許容曲げ半径以上に湾曲された状態に保持し続けることができる。
【００２３】
さらに、ケーブルの湾曲対象箇所の内径側の部分は、支持部の外径側の溝内に嵌め込まれているので、ケーブルの湾曲対象箇所から支持部が外れるのを防止でき、ケーブルの湾曲対象箇所が支持部の湾曲形状に対応した形状に湾曲された状態に保持でき、長期的にケーブルの湾曲対象箇所をケーブルの許容曲げ半径以上に湾曲された状態に保持し続けることができる。
【００２４】
さらに、ケーブルの湾曲対象箇所に支持部を宛がい、この状態で支持部と一体にケーブルの湾曲対象箇所を湾曲させることにより、支持部の切込みが閉じられる角度まで支持部とケーブルの湾曲対象箇所とが一体に湾曲され、ケーブルの湾曲対象箇所が許容曲げ半径よりも小さい曲げ半径で湾曲されることが規制される。従って、ケーブルの湾曲対象箇所をケーブルの許容曲げ半径以上に湾曲させる作業を容易にかつ精度よく行うことができる。
【００２５】
さらに、複数のケーブル湾曲治具を連結することにより、ケーブルの所要長さの湾曲対象箇所がケーブルの許容曲げ半径よりも小さい曲げ半径で湾曲されるのを規制することができる。
【発明を実施するための最良の形態】
【００２６】
以下、図面を参照しながら本発明の実施の形態について説明する。
図１〜図５には、本発明によるケーブル湾曲治具の第１の実施の形態が示されていて、図１はケーブル湾曲治具の全体を示す平面図、図２は図１のＡ矢視図、図３は図１のＢ−Ｂ線断面図、図４は図１のケーブル湾曲治具をケーブルの湾曲対象箇所に取り付けた状態を示す平面図、図５は図４のＣ−Ｃ線断面図である。
【００２７】
すなわち、本実施の形態のケーブル湾曲治具１は、例えば、携帯基地局や各種の工場等に設置される設備等に使用される通信ケーブルや配線ケーブル等のケーブル（以下、「ケーブル１０」という。）の湾曲対象箇所１１を湾曲させるのに適用可能なものであって、ケーブル１０の湾曲対象箇所１１の曲げ半径がケーブル１０の許容曲げ半径よりも小さくならないように湾曲させるのに有効なものである。
【００２８】
携帯基地局や各種の工場等に設置される設備等に使用されるケーブル１０は、例えば、携帯基地局の局舎や工場等の構造物の躯体の天井部等にケーブルラック（図示せず）を介して敷設され、ケーブルラックのコーナー部やケーブルラックから設備への引き込み部等で所定の角度に湾曲されて方向が変えられ、ケーブルラックから設備へ引き込まれている。
【００２９】
ケーブル１０を湾曲させる場合、メーカーから提供されている技術資料等に基づいて、ケーブル１０の湾曲対象箇所１１の曲げ半径がケーブル１０の許容曲げ半径よりも小さくならないように湾曲させる必要があり、その場合に本実施の形態によるケーブル湾曲治具１を使用する。
【００３０】
本実施の形態のケーブル湾曲治具１は、図１〜図３に示すように、ケーブル１０の湾曲対象箇所１１の内径側に宛がわれる支持部２と、支持部２をケーブル１０の湾曲対象箇所１１に固定する固定部材６とを備え、支持部２によってケーブル１０の湾曲対象箇所１１がケーブル１０の許容曲げ半径よりも小さく湾曲されないように規制され、固定部材６によってケーブル１０の湾曲対象箇所１１がケーブルの許容曲げ半径以上に湾曲された状態に保持される。
【００３１】
支持部２は、合成樹脂から形成される円弧状をなすものであって、ケーブル１０の許容曲げ半径以上の曲率半径の円弧状に形成され、この支持部２の外径側をケーブル１０の湾曲対象箇所１１の内径側に宛がうように、ケーブル１０の湾曲対象箇所１１の内径側に設けられる。
【００３２】
ここで、ケーブル１０の許容曲げ半径とは、ケーブル１０の中心の曲げ半径を意味し、このケーブル１０の中心の曲げ半径からケーブル１０の半径を減じた長さが支持部２の曲率半径として設定される。
【００３３】
支持部２は、ケーブル１０の湾曲対象箇所１１の全長に対応する長さに形成され、ケーブル１０の湾曲対象箇所１１の内径側に宛がった際に、ケーブル１０の湾曲対象箇所１１を全長に亘って支持するようになっている。
【００３４】
支持部２の外径側には、ケーブル１０の断面形状に対応した断面円弧状の溝３が設けられ、支持部２の外径側をケーブル１０の湾曲対象箇所１１の内径側に宛がった際に、この溝３内にケーブル１０の湾曲対象箇所１１の内径側の部分が嵌め込まれる。これにより、支持部２がケーブル１０の湾曲対象箇所１１の内径側から外れるのを防止できる。
【００３５】
支持部２の長手方向の両端はアール面４に形成され、ケーブル１０の屈曲対象箇所１１の内径側に支持部２を宛がう際に、支持部２の両端でケーブル１０の湾曲対象箇所１１の表面の被覆に傷等が付くのを防止している。
【００３６】
支持部２は、各種のプラスチック成形法によって外径側に溝３を有する円弧状に一体に成形される。又は、各種のプラスチック成形法によって樋状に成形した後に、各種の曲げ加工によって円弧状に形成される。
【００３７】
固定部材６は、例えば、支持部２に一体に取り付けられる合成樹脂製の固定バンド６から構成され、例えば、支持部２の長手方向の両端部及び中央部の３箇所に設けられている。支持部２をケーブル１０の湾曲対象箇所１１の内径側に宛がい、支持部２の湾曲形状に沿ってケーブル１０の湾曲対象箇所１１を湾曲させた後に、各固定バン６ドをケーブル１０の湾曲対象箇所１１に締め付けることにより、支持部２がケーブル１０の湾曲対象箇所１１に固定されるとともに、ケーブル１０の湾曲対象箇所１１が支持部２の湾曲形状に対応して湾曲された状態に保持される。
【００３８】
なお、固定バンド６は、３箇所に限らず２箇所又は４箇所以上に設けてもよい。また、固定部材６は、固定バンド６に限らず、支持部２をケーブル１０の湾曲対象箇所１１に固定することができる構成のものであればよく、例えば、支持部２をケーブル１０の湾曲対象箇所１１の内径側に宛がった状態で、支持部２及びケーブル１０の周囲に絶縁テープ等を巻き付けることにより、支持部２をケーブル１０の湾曲対象箇所１１に固定するようにしてもよい。
【００３９】
ケーブル湾曲治具１を用いてケーブル１０を湾曲させる際には、図４に示すように、ケーブル湾曲治具１をケーブル１０の湾曲対象箇所１１の内径側に配置し、ケーブル湾曲治具１の支持部２の外径側の溝３に沿って図中矢印の方向にケーブル１０の湾曲対象箇所１１を湾曲させる。これにより、ケーブル１０の湾曲対象箇所１１が支持部２の湾曲形状に対応した形状に湾曲され、ケーブル１０の湾曲対象箇所１１の内径側の部分が支持部２の外径側の溝３内に嵌め込まれる。
【００４０】
この状態で支持部２の両端部の固定バンド６及び中央部の固定バンド６をケーブル１０の湾曲対象箇所１１に固定することにより、ケーブル１０の湾曲対象箇所１１の内径側に支持部２が宛がわれた状態で固定され、ケーブル１０の湾曲対象箇所１１が支持部２の曲率半径に対応した曲げ半径に湾曲された状態に保持される。
【００４１】
以上、説明したように、本実施の形態によるケーブル湾曲治具１にあっては、ケーブル１０の許容曲げ半径以上の曲率半径の円弧状に形成した支持部２をケーブル１０の湾曲対象箇所１１の内径側に宛がい、この支持部２の外径側の溝３に沿ってケーブル１０の湾曲対象箇所１１を湾曲させるように構成したので、ケーブル１０の湾曲対象箇所１１がケーブル１０の許容曲げ半径よりも小さい曲げ半径で湾曲されることはなく、ケーブル１０の性能が劣化するようなことはない。
【００４２】
また、ケーブル１０の湾曲対象箇所１１がケーブル１０の許容曲げ半径以上に湾曲されているか否かは、支持部２とケーブル１０の湾曲対象箇所１１との接触状態を目視することによって確認することができるので、その確認作業を容易にかつ精度よく行うことができる。
【００４３】
図６及び図７には、本発明によるケーブル湾曲治具１の第２の実施の形態が示されていて、図６はケーブル湾曲治具１をケーブル１０の湾曲対象箇所１１に取り付けた状態を示し、図７はケーブル１０の湾曲対象箇所１１を湾曲させた状態を示している。
【００４４】
すなわち、このケーブル湾曲治具１は、図６に示すように、樋状に形成した支持部２に溝３の内外を貫通する切込み５を長手方向に所定の間隔ごとに複数箇所に設け、この支持部２をケーブル１０の湾曲対象箇所１１の内径側に宛がい、ケーブル１０と支持部２とを一体に湾曲させることにより、ケーブル１０の湾曲対象箇所１１を支持部２の曲率半径に対応した曲げ半径に湾曲させるように構成したものであって、その他の構成は前記第１の実施の形態に示すものと同様である。
【００４５】
この場合、支持部２は、ケーブル１０と一体に湾曲された際に、各切込み５を閉じるように湾曲することにより、ケーブル１０の許容曲げ半径以上の所定の曲率半径の円弧状に形成され、この支持部２の円弧形状に対応した形状にケーブル１０の湾曲対象箇所１１が湾曲される。
なお、切込み５の幅、個数は、切込み５を閉じたときに、支持部２が所望の曲率半径となるように、予め設定しておく。
【００４６】
上記のように構成した本実施の形態によるケーブル湾曲治具１にあっても、前記第１の実施の形態に示すものと同様に、ケーブル１０の許容曲げ半径以上の曲率半径の円弧状に形成した支持部２がケーブル１０の湾曲対象箇所１１の内径側に宛がわれるので、ケーブル１０の湾曲対象箇所１１がケーブル１０の許容曲げ半径よりも小さい曲げ半径で湾曲されることはなく、ケーブル１０の性能が劣化するようなことはない。
【００４７】
また、ケーブル１０の湾曲対象箇所１１がケーブル１０の許容曲げ半径以上に湾曲されているか否かは、支持部２とケーブル１０の湾曲対象箇所１１との接触状態を目視することによって確認することができるので、その確認作業を容易にかつ精度よく行うことができる。
【００４８】
なお、本実施の形態において、支持部２に設ける切込み５の幅、個数を適宜に設定することにより、支持部２の湾曲角度を調整することができるので、各種のケーブル１０を許容曲げ半径以上に湾曲させるのに適用することができる。
【００４９】
図８には、本発明によるケーブル湾曲治具１の第３の実施の形態が示されている。このケーブル湾曲治具１は、複数（本実施の形態では２つ）のケーブル湾曲治具１を連結して、ケーブル１０の所要長さの湾曲対象箇所１１の湾曲に対応させたものであって、その他の構成は前記第１の実施の形態に示すものと同様である。
【００５０】
そして、本実施の形態によるケーブル湾曲治具１にあっても、前記第１の実施の形態に示すものと同様に、ケーブル１０の許容曲げ半径以上の曲率半径の円弧状に形成した支持部２がケーブル１０の湾曲対象箇所１１の内径側に宛がわれるので、ケーブル１０の所要長さの湾曲対象箇所１１がケーブル１０の許容曲げ半径よりも小さい曲げ半径で湾曲されることはなく、ケーブル１０の性能が劣化するようなことはない。
【００５１】
また、ケーブル１０の湾曲対象箇所１１がケーブル１０の許容曲げ半径以上に湾曲されているか否かは、支持部２とケーブル１０の湾曲対象箇所１１との接触状態を目視することによって確認することができるので、その確認作業を容易にかつ精度良く行うことができる。
【００５２】
なお、前記各実施の形態においては、支持部２を断面円弧状に形成したが、断面三角形状、四角形状、六角形状等に形成してもよい。また、ケーブル１０が支持部２から外れる心配がない場合には、支持部２を平板状に形成してもよい。
【００５３】
また、前記各実施の形態においては、１つ又は２つのケーブル湾曲治具１を用いて、略９０度、略１８０度の湾曲に対応させたが、３つ以上のケーブル湾曲治具１を組み合わせて、各種の角度の湾曲に対応させてもよい。
【図面の簡単な説明】
【００５４】
【図１】本発明によるケーブル湾曲治具の第１の実施の形態の全体を示した平面図である。
【図２】図１のＡ矢視図である。
【図３】図１のＢ−Ｂ線断面図である。
【図４】図１のケーブル湾曲治具をケーブルの湾曲対象箇所に取り付けた状態を示した平面図である。
【図５】図４のＣ−Ｃ線断面図である。
【図６】本発明によるケーブル湾曲治具の第２の実施の形態を示した平面図であって、ケーブル湾曲治具をケーブルの湾曲対象箇所に取り付けた状態を示した平面図である。
【図７】ケーブルの湾曲対象箇所を湾曲させた状態を示した平面図である。
【図８】本発明によるケーブル湾曲治具の第３の実施の形態を示した平面図である。
【符号の説明】
【００５５】
１  ケーブル湾曲治具
２  支持部
３  溝
４  アール面
５  切込み
６  固定部材（固定バンド）
１０  ケーブル
１１  湾曲対象箇所
【図１】
2009171794.tif 000003
【図２】
2009171794.tif 000004
【図３】
2009171794.tif 000005
【図４】
2009171794.tif 000006
【図５】
2009171794.tif 000007
【図６】
2009171794.tif 000008
【図７】
2009171794.tif 000009
【図８】
2009171794.tif 000010